(57)【特許請求の範囲】
【請求項１】
天井に固定する上片と、天井材の端部下面を受ける下片と、この上片と下片を連結する側片とを備えていて、天井材の端部が嵌め込まれる断面略コ字状の固定部材と、
上記側片の外面側に回動自在に枢着されて、上記天井材の端部の外側に垂下する垂直片と、この垂直片の下端から上記天井材側に突出して形成される底片と、この底片の終端から上方に折曲して形成される立上片とを有し、上記天井材の端部下面の下方を受ける樋溝が形成されている露受け部材とからなる浴室天井用仕上げ部材において、
上記露受け部材の立上片の上端を内方に折返してなる折返し片を、該立上片の長手方向に亙って形成していることを特徴とする浴室天井用仕上げ部材。
【請求項２】
上記天井材が水平に配置された際に、その天井材の下面と上記折返し片とが当接するように、上記折返し片を形成している請求項１記載の浴室天井用仕上げ部材。
【請求項３】
両者共に、天井に固定する上片と、天井材の端部下面を受ける下片と、この上片と下片を連結する側片とからなる、天井材の端部が嵌め込まれる断面略コ字状の差込凹所を備えている第１固定部材と、第２固定部材とを回動自在に枢着すると共に、上記差込凹所の開口が外に向うようにして、第１の天井材側に第１固定部材を、第２の天井材側に第２固定部材を配置する浴室天井用仕上げ部材であって、
第２固定部材の側片の下方に該側片から延設している垂直片を形成し、この垂直片の下端から上記第１の天井材側に突出して底片を形成し、この底片の終端から上方に折曲して立上片を形成して、上記第１の天井材の端部下面の下方を受ける樋溝が第２固定部材に形成されている浴室天井用仕上げ部材において、
第２固定部材に形成している上記立上片の上端を内方に折返してなる折返し片を、該立上片の長手方向に亙って形成していると共に、第２固定部材に形成している上記垂直片の下端から、上記底片とは反対方向に、上記底片と略面一に水平片を突出して延設し、この水平片の終端から上方に折曲して、鉛直片を形成していることを特徴とする浴室天井用仕上げ部材。
【請求項４】
第１の天井材と第２の天井材が水平に配置された際に、第１の天井材の下面と第２固定部材に形成した上記折返し片とが当接し、第２の天井材の下面と第２固定部材に形成した鉛直片上端が当接するように、上記折返し片及び上記鉛直片を形成している請求項３記載の浴室天井用仕上げ部材。
【請求項５】
第２固定部材に形成している上記鉛直片の上端を内方に折返してなる天井材受け片を、該鉛直片の長手方向に亙って形成している請求項４記載の浴室天井用仕上げ部材。
【発明の詳細な説明】
【０００１】
【発明の属する技術分野】
本発明は、浴室天井用仕上げ部材に関し、詳しくは浴室天井を構成する天井材の回り縁や押さえ縁として有用な浴室天井用仕上げ部材に関するものである。
【０００２】
【従来の技術】
浴室天井を構成する天井材の回り縁や押さえ縁として有用な浴室天井用仕上げ部材として、例えば図８、図９に示すもの（特開平１０−８６３０号公報参照）等が知られている。
【０００３】
図８に示す従来例（第１従来例）では、両者とも横幅長寸の部材である、固定部材１１０と露受け部材１２０とを回動自在に枢着して形成されている。この第１従来例の施工例を示している図１０に基づいて以下説明する。第１従来例では、固定部材１１０は天井下地５に固定する上片１１１と、天井材３の端部下面を受ける下片１１３と、側片１１２とを備える断面略コ字状の部材であり、天井材の端部が開口部１１４に嵌め込まれるように形成されている。そして、この固定部材１１０の側片１１２の外面側には、断面略Ｃ字状の軸受部１１５が設けられている。また、露受け部材１２０は、垂直片１２１と、この垂直片１２１の下端から上記天井材３側（上記開口部１１４側）に突出して形成される底片１２２と、この底片１２２の終端から上方に折曲して形成される立上片１２３とを有している。このように、露受け部材１２０には、天井材３の端部下面を受ける、上方に開口する略Ｌ字型の樋溝１２８が形成されている。また、露受け部材１２０の垂直片１２１の上端部には、上記断面略Ｃ字状の軸受部１１５に回動自在に枢着される断面略Ｃ字状の軸部１２５が形成されている。
【０００４】
第１従来例の浴室天井用仕上げ部材は、図１０に示すように、固定部材１１０と露受け部材１２０とを回動自在に枢着し、露受け部材１２０の垂直片１２１を浴室壁面４に沿わせて配置し、固定部材１１０の上片１１１を傾斜を有する天井の天井下地５に取り付け、天井下面に配置される天井材３の端部を固定部材１１０の開口部１１４に嵌め込んで、天井材３を保持するよう施工する。このように施工することで、傾斜を有する天井に配置される天井材３の下面で発生し、端部側に流れた結露水を露受け部材１２０で受けて、排水することができるようになっている。また、この第１従来例の浴室天井用仕上げ部材は、水平に配置される天井材の端部を嵌め込んで仕上げる部材として用いることも可能である。
【０００５】
次に、図９に示す従来例（第２従来例）の浴室天井用仕上げ部材は、両者共に、天井に固定する上片１３１、１４１と、天井材の端部下面を受ける下片１３３、１４３と、この上片１３１、１４１と下片１３３、１４３を連結する側片１３２、１４２とからなり、天井材の端部が嵌め込まれる断面略コ字状の差込凹所１３４、１４４を備えている、横幅長寸部材である第１固定部材１３０と第２固定部材１４０とから構成される浴室天井用仕上げ部材である。この第２従来例の施工例を示している図１１に示すように、第１固定部材１３０を第１の天井材３Ａ側に、第２固定部材１４０を第２の天井材３Ｂ側に、それぞれの差込凹所１３４、１４４の開口が外に向うように配置し、天井材の端部が差込凹所１３４、１４４に嵌め込まれるようにしている。そして、第１固定部材１３０の側片１３２に備える断面略Ｃ字状の軸受部１３５と、第２固定部材１４０の側片１４２に備える断面略Ｃ字状の軸部１４５を回動自在に枢着するように構成されている。そして、第２固定部材１４０の側片１４２の下方に該側片１４２から延設している垂直片１４６を形成し、この垂直片１４６の下端から上記第１の天井材３Ａ側（第１固定部材１３０の差込凹所１３４の開口側）に突出して底片１４７を形成し、この底片１４７の終端から上方に折曲して立上片１４９を形成することにより、略Ｌ字型であって、上方に開口する樋溝１４８を形成している。
【０００６】
第２従来例の浴室天井用仕上げ部材は、図１１に示すように、第１固定部材１３０と第２固定部材１４０を回動自在に枢着し、それぞれの差込凹所１３４、１４４の開口が外に向うように配置した状態で、それぞれの上片１３１、１４１を天井下地５Ａ、５Ｂに固定する。そして、天井材３Ａ、３Ｂの端部を差込凹所１３４、１４４に嵌め込んで、天井材を保持するように施工する。第１固定部材１３０と第２固定部材１４０は回動自在に枢着されているので、勾配が変化している浴室天井（例えば水平な天井面と、傾斜のある天井面で形成されている天井）に配置された傾斜の異なる天井材の接合部に介在させる押え縁として取り付けることができ、しかも、勾配のある側の天井に配置される第１の天井材３Ａ（第１固定部材１３０に端部が嵌め込まれる天井材）の下面で発生し、端部側に流れた結露水を第２固定部材１４０に形成した樋溝１４８で受けて、排水することができるようになっている。
【０００７】
【発明が解決しようとする課題】
しかしながら、上記の従来の浴室天井用仕上げ部材では、次のような問題点があった。まず、第１従来例については、図１０のように傾斜を有する天井に配置された天井材３の下面で発生し、端部側に流れた結露水等を樋溝１２８で受けた際に、落ち込んでくる水量が多い場合、樋溝１２８内に一旦落下した水が樋溝の底に当たってはね返り、立上片１２３を越えて、樋溝１２８外に飛び出すという現象が生じることがあり、このような現象の生じない構造の露受け部材が求められていた。また、立上片１２３の上端の高さを、水平に配置された天井材３の下面に当接する高さ又はそれ以上の高さにした場合、天井材３の傾斜によっては、立上片１２３の上端と天井材３の下面が当接し、立上片１２３の上端縁で天井材３の下面を傷つける問題が生じる場合あり、その改善が求められていた。
【０００８】
第２従来例については、図１１のように傾斜を有する天井に配置された天井材３Ａの端部側に流れた結露水等を樋溝１４８で受けた際に、樋溝１４８内に一旦落下した水が底に当たってはね返り、立上片１４９を越えて、樋溝１４８外に飛び出すという現象が生じることがあり、第１従来例と同様にこのような現象の生じない構造の露受け部材が求められていた。
【０００９】
また、樋溝１４８を構成する立上片１４９の上端の高さを、露を受けようとする側の天井材３Ａが水平に配置された際の、その下面に当接する高さ又はそれ以上の高さにした場合、露を受けようとする側の天井材３Ａの傾斜によっては、立上片１４９の上端と天井材３Ａの下面が当接し、立上片１４９の上端縁で天井材３Ａの下面を傷つける問題が生じる場合あり、第１従来例と同様にその改善が求められていた。
【００１０】
さらに、第２従来例については、垂直片１４６の下端の位置で、第２固定部材１４０の長手方向に亙って屈曲部又は段差が生じる形状になっており、仕上げ部材を施工した場合に、浴室内部側に露出する面が段差等が少ない平滑な印象を与える構造の仕上げ部材とすることも求められていた。
【００１１】
本発明は、上記の事情に鑑みてなされたものであって、結露水等を樋溝で受けた際に、樋溝内に一旦落下した水が底に当たってはね返り、立上片を越えて、樋溝外に飛び出すという現象が防止できる、天井仕上げ部材を提供することを課題としている。そして、さらには、立上片の上端縁で天井材の下面を傷つけにくい天井仕上げ部材を提供することを次の課題としている。
【００１２】
【課題を解決するための手段】
請求項１に係る発明の浴室天井用仕上げ部材は、天井に固定する上片と、天井材の端部下面を受ける下片と、この上片と下片を連結する側片とを備えていて、天井材の端部が嵌め込まれる断面略コ字状の固定部材と、
上記側片の外面側に回動自在に枢着されて、上記天井材の端部の外側に垂下する垂直片と、この垂直片の下端から上記天井材側に突出して形成される底片と、この底片の終端から上方に折曲して形成される立上片とを有し、上記天井材の端部下面の下方を受ける樋溝が形成されている露受け部材とからなる浴室天井用仕上げ部材において、
上記露受け部材の立上片の上端を内方に折返してなる折返し片を、該立上片の長手方向に亙って形成していることを特徴とする浴室天井用仕上げ部材である。
【００１３】
この請求項１に係る発明の浴室天井用仕上げ部材では、露受け部材の立上片の上端を内方に折返してなる折返し片を形成しているので、樋溝内に一旦落下した水が底に当たってはね返り、立上片を越えて、樋溝外に飛び出すという現象が生じにくくなる。また、折返し片を形成することで、天井材の下面と接する部分の、立上片の上端が面（折返し片の上面）で形成されることになり、従って、立上片の上端で天井材の下面を傷つけにくくなるという利点を有することになる。
【００１４】
請求項２に係る発明の浴室天井用仕上げ部材は、天井材が水平に配置された際に、その天井材の下面と折返し片とが当接するように、上記折返し片を形成している請求項１記載の浴室天井用仕上げ部材である。
【００１５】
請求項２に係る発明の浴室天井用仕上げ部材では、天井材が水平に配置された際に、その天井材の下面と折返し片とが当接するように、上記折返し片を形成している。従って、天井材が立上片の上端に接する場合に、天井材の下面を傷つけることがなく、また、天井材の端部下面を受ける下片と、立上片の上端の折返し片の両者で天井材の下面を受けるので、天井材の保持安定性が良好となる。
【００１６】
請求項３に係る発明の浴室天井用仕上げ部材は、両者共に、天井に固定する上片と、天井材の端部下面を受ける下片と、この上片と下片を連結する側片とからなる、天井材の端部が嵌め込まれる断面略コ字状の差込凹所を備えている第１固定部材と、第２固定部材とを回動自在に枢着すると共に、上記差込凹所の開口が外に向うようにして、第１の天井材側に第１固定部材を、第２の天井材側に第２固定部材を配置する浴室天井用仕上げ部材であって、
第２固定部材の側片の下方に該側片から延設している垂直片を形成し、この垂直片の下端から上記第１の天井材側に突出して底片を形成し、この底片の終端から上方に折曲して立上片を形成して、上記第１の天井材の端部下面の下方を受ける樋溝が第２固定部材に形成されている浴室天井用仕上げ部材において、
第２固定部材に形成している上記立上片の上端を内方に折返してなる折返し片を、該立上片の長手方向に亙って形成していると共に、第２固定部材に形成している上記垂直片の下端から、上記底片とは反対方向に、上記底片と略面一に水平片を突出して延設し、この水平片の終端から上方に折曲して、鉛直片を形成していることを特徴とする浴室天井用仕上げ部材である。
【００１７】
この請求項３の発明の浴室天井用仕上げ部材では、第２固定部材の立上片の上端を内方に折返してなる折返し片を形成しているので、樋溝内に一旦落下した水が底に当たってはね返り、立上片を越えて、樋溝外に飛び出すという現象が生じにくくなる。また、折返し片を形成することで、天井材の下面と接する部分の、立上片の上端が面（折返し片の上面）で形成されることになり、従って、立上片の上端で天井材の下面を傷つけにくくなるという利点を有することになる。さらに、第２固定部材に形成している垂直片の下端から、樋溝の底となる底片とは反対方向に、その底片と略面一に水平片を突出して延設し、この水平片の終端から上方に折曲して、鉛直片を形成しているので、第２の天井材の端部下面の下方を受ける露受け樋としての機能を第２固定部材に持たせることが可能となる。そして、さらに、この天井用仕上げ部材を施工した場合に、浴室内部側に露出する面は、略面一になっている底片と水平片で構成されることになり、段差等が少ない平滑な印象を与える構造となる。
【００１８】
請求項４に係る発明の浴室天井用仕上げ部材は、第１の天井材と第２の天井材が水平に配置された際に、第１の天井材の下面と第２固定部材に形成した折返し片とが当接し、第２の天井材の下面と第２固定部材に形成した鉛直片上端が当接するように、上記折返し片及び上記鉛直片を形成している請求項３記載の浴室天井用仕上げ部材である。
【００１９】
請求項４に係る発明の浴室天井用仕上げ部材では、第１及び第２の天井材が水平に配置された際に、第１の天井材の端部下面を受ける第１固定部材の下片と、立上片の上端の折返し片の両者で第１の天井材の下面を受け、第２の天井材の端部下面を受ける第２固定部材の下片と、鉛直片上端の両者で第２の天井材の下面を受けるので、第１及び第２の天井材の保持安定性が良好となる。
【００２０】
請求項５に係る発明の浴室天井用仕上げ部材は、第２固定部材に形成している鉛直片の上端を内方に折返してなる天井材受け片を、該鉛直片の長手方向に亙って形成している請求項４記載の浴室天井用仕上げ部材である。この発明では、鉛直片の上端を内方に折返してなる天井材受け片を設けているので、第２の天井材の下面が鉛直片の上端に接する場合に、第２の天井材の下面を傷つけにくくなる。
【００２１】
【発明の実施の形態】
以下に本発明の実施形態を図面に基づいて説明する。
【００２２】
図１は本発明の第１実施形態に係る浴室天井用仕上げ部材を示す断面図であり、同図（ａ）は浴室天井用仕上げ部材全体の断面図、同図（ｂ）は露受け部材２０の断面図、同図（ｃ）は固定部材１０の断面図を示している。図２は、この第１実施形態に係る浴室天井用仕上げ部材の一施工例を示す断面図である。図３は、同じ第１実施形態に係る浴室天井用仕上げ部材の他の施工例を示す断面図である。
【００２３】
図１に示すように、第１実施形態に係る浴室天井用仕上げ部材は、両者とも横幅長寸の部材である、固定部材１０と露受け部材２０とを回動自在に枢着して形成するものである。そして、固定部材１０は、天井下地に固定する上片１１と、天井材の端部下面を受ける下片１３と、これら上片１１及び下片１３の後端を連架している側片１２とを備える断面略コ字状の部材であり、天井材の端部が開口部１４に嵌め込まれるように形成されている。そして、この固定部材１０の側片１２の外面側には、断面略Ｃ字状の軸受部１５を長手方向に亙って設けている。この固定部材１０においては、上片１１は下片１３よりも長寸となっていて、下側から天井下地５ネジ釘等で固定できるようになっている（図２参照）。
【００２４】
また、露受け部材２０は、垂直片２１と、この垂直片２１の下端から、天井材側である固定部材１０の開口部１４側に突出して形成する底片２２と、この底片２２の終端から上方に折曲して形成する立上片２３とを有している。このように、露受け部材２０には、上方に開口して、天井材の下方を受ける略Ｌ字型樋溝２８が形成される。そして、露受け部材２０の立上片２３の上端を内方に折返してなる折返し片２７を、該立上片２３の長手方向に亙って形成している。
【００２５】
また、露受け部材２０の垂直片２１の上端部には、上記断面略Ｃ字状の軸受部１５に回動自在に枢着される断面略Ｃ字状の軸部２５を、長手方向に亙って設けている。この軸受部１５と軸部２５の嵌合は、例えば軸受部１５の開口を弾性作用で拡張変形させ、軸部２５を弾性作用で狭小変形させて、圧入して行うことができる。また、固定部材１０を水平状態から、垂直状態にまで略９０°の範囲で回動できるように、固定部材１０の軸受部１５の開口を形成している。
【００２６】
この第１実施形態に係る浴室天井用仕上げ部材の施工状態について説明すると、例えば、図２や、図３に示すようにして浴室天井に施工することができる。
【００２７】
図２に示す施工例は、浴室壁面４に対して上向きに傾斜している浴室天井の回り縁として用いる場合である。この場合、軸受部１５と軸部２５を嵌合して、固定部材１０と露受け部材２０とを回動自在に枢着しておいて、露受け部材２０の垂直片２１の外側を壁面４上端に当接させた状態で、上向きに傾斜している天井下地５に固定部材１０の上片１１をビス７で固定している。そして、固定部材１０の開口部１４に、天井下地５の下側に取付けられる天井材３の端部を差し込んで装着し、露受け部材２０が天井材３の端部下方を受けるようになっている。浴室において、天井材３の下面で発生した結露水は、天井材３の傾斜に沿って端部に流れ、露受け部材２０の、樋溝２８で受け止められて、排水されるようになっている。また、天井材３の上面と固定部材１０の上片１１の下面の間にはスポンジ６を挟み込んでいて、天井材３がガタツクことなく、固定部材１０の開口部１４に装着されるようにしている。
【００２８】
そして、この第１実施形態に係る浴室天井用仕上げ部材では、露受け部材２０の立上片２３の上端に、内方に折返している折返し片２７を形成しているので、樋溝２８内に一旦落下した水が底に当たってはね返り、立上片２３を越えて、樋溝２８外に飛び出すという現象が生じにくいものとなる。また、折返し片２７を形成していることで、天井材３の下面と接する部分の、立上片２３の上端が面（折返し片２７の上面）で形成されることになり、従って、立上片２３の上端で天井材３の下面を傷つけにくくなるという効果を奏するものとなる。浴室用の天井材は軟質の傷つき易い素材を使用することが多いので、この傷つけにくいという効果は浴室天井用仕上げ部材にとっては極めて有用な効果である。
【００２９】
また、この第１実施形態に係る浴室天井用仕上げ部材では、水平な浴室天井の回り縁として用いている施工例を示している図３に示すように、天井材３が水平に配置された際に、その天井材３の下面と折返し片２７とが当接するように、折返し片２７を形成している。従って、天井材３が立上片２３の上端に接する場合に、天井材３の下面を傷つけることがなく、また、天井材３の端部下面を受ける下片１３と、立上片２３の上端の折返し片２７の両者で天井材３の下面を受けるので、天井材３の保持安定性が良好となる。
【００３０】
次に、図４は本発明の第２実施形態に係る浴室天井用仕上げ部材全体を示す断面図であり、図５（ａ）は第２固定部材４０の断面図、同図（ｂ）は第１固定部材３０の断面図を示している。図６は、この第２実施形態に係る浴室天井用仕上げ部材の一施工例を示す断面図である。図７は、同じ第２実施形態に係る浴室天井用仕上げ部材の他の施工例を示す断面図である。
【００３１】
図４に示すように、第２実施形態は、両者共に横幅長寸部材である、第１固定部材３０と第２固定部材４０とを回動自在に枢着して形成するものである。そして、第１固定部材３０と第２固定部材４０は、両者共に、天井に固定する上片３１、４１と、天井材の端部下面を受ける下片３３、４３と、これらの後端を連架している側片３２、４２とからなる断面略コ字状の差込凹所３４、４４を備えている横幅長寸部材である。この第２実施形態では、その施工例を示している図６に示すように、第１固定部材３０を第１の天井材３Ａ側に、第２固定部材４０を第２の天井材３Ｂ側に、それぞれの差込凹所３４、４４の開口が外に向うように配置して、天井材の端部が差込凹所３４、４４に嵌め込まれるようにしている。そして、第１固定部材３０の側片３２の外側に備える断面略Ｃ字状の軸受部３５と、第２固定部材４０の側片４２の上端部に備える断面略Ｃ字状の軸部４５を回動自在に枢着するように構成されている。そして、第２固定部材４０の側片４２の下方に該側片４２から延設している垂直片４６を形成し、この垂直片４６の下端から第１の天井材３Ａ側（第１固定部材３０の差込凹所３４の開口側）に突出して底片４７を形成し、この底片４７の終端から上方に折曲して立上片４９を形成して、第１の天井材３Ａの端部下面の下方を受ける略Ｌ字型の樋溝４８を形成している。
【００３２】
さらに、第２固定部材４０に形成している上記立上片４９の上端を内方に折返してなる折返し片５０を、該立上片４９の長手方向に亙って形成すると共に、上記垂直片４６の下端から、上記底片４７とは反対方向に、上記底片と４６略面一に水平片５１を突出して延設し、この水平片５１の終端から上方に折曲して、鉛直片５２を形成している。従って、垂直片４６と、水平片５１と、鉛直片５２によって、第２の天井材３Ｂの端部下面の下方を受ける露受け樋としての機能を第２の天井材に持たせることが可能となる。なお、このように第２の天井材３Ｂの端部下面の下方を受ける露受け樋として機能させるためには、例えば鉛直片５２の高さを低くしたり、あるいは、天井に固定する上片４１と、天井材の端部下面を受ける下片４３と、これらの後端を連架している側片４２とからなる断面略コ字状の差込凹所３４における、上片４１及び下片４３の角度を調整して、第２の天井材３Ｂの端部下面と、鉛直片５２の上端との間に間隙を形成することが必要となる。
【００３３】
そして、この第２実施形態では、図７に示すように、第１の天井材３Ａと第２の天井材３Ｂが共に水平に配置された際に、第１の天井材３Ａの下面と第２固定部材４０に形成した上記折返し片５０とが当接し、且つ第２の天井材３Ｂの下面と第２固定部材４０に形成した鉛直片５２の上端が当接するように、折返し片５０及び鉛直片５２を形成している。また、さらに、この第２実施形態では、第２固定部材４０に形成している上記鉛直片５２の上端を内方に折返してなる天井材受け片５３を、鉛直片５２の長手方向に亙って形成している。
【００３４】
次に、この第２実施形態に係る浴室天井用仕上げ部材の施工状態を示す図６及び図７に基づいて、この第２実施形態について、さらに詳しく説明する。
【００３５】
図６に示す施工例は、第１の天井材３Ａが傾斜を有して、第２の天井材３Ｂが水平に配置される浴室天井の押え縁として用いる場合である。この場合、軸受部３５と軸部４５を嵌合して、第１固定部材３０と第２固定部材４０とを回動自在に枢着しておいて、第１固定部材３０を第１の天井材３Ａ側に、第２固定部材４０を第２の天井材３Ｂ側に、それぞれの差込凹所３４、４４の開口が外に向うように配置して、天井に固定し、それから天井材の端部を差込凹所３４、４４に嵌め込んで施工する。このように施工することで、第２固定部材の樋溝４８が第１の天井材３Ａの端部下方を受けるようになり、天井材３Ａの下面で発生した結露水は、天井材３Ａの傾斜に沿って端部に流れ、樋溝２８で受け止められて、排水されるようになっている。また、第１の天井材３Ａの上面と第１固定部材３０の上片３１の下面の間にはスポンジ６を挟み込んでいて、天井材３Ａがガタツクことなく、第１固定部材３０の差込凹所３４に装着されるようにしている。
【００３６】
そして、この第２実施形態に係る浴室天井用仕上げ部材では、第２固定部材４０の立上片４９の上端に、内方に折返している折返し片５０を、該立上片４９の長手方向に亙って形成しているので、樋溝４８内に一旦落下した水が底に当たってはね返り、立上片４９を越えて、樋溝４８外に飛び出すという現象が生じにくいものとなる。また、折返し片５０を形成していることで、第１の天井材３Ａの下面と接する部分の、立上片４９の上端が面（折返し片５０の上面）で形成されることになり、従って、立上片４９の上端で天井材３Ａの下面を傷つけにくくなる効果を奏するものとなる。また、鉛直片５２の上端にも、内方に折返している天井材受け片５３を、鉛直片５２の長手方向に亙って形成しているので、鉛直片５２の上端で第２の天井材３Ｂの下面を傷つけにくくなる効果も同様に奏するものとなる。先にも述べたが、浴室用の天井材は軟質の傷つき易い素材を使用することが多いので、この傷つけにくいという効果は浴室天井用仕上げ部材にとっては極めて有用な効果である。
【００３７】
また、この第２実施形態に係る浴室天井用仕上げ部材では、図７に示すように、第１の天井材３Ａと第２の天井材３Ｂが共に水平に配置された際に、第１の天井材３Ａの下面と第２固定部材４０に形成した上記折返し片５０とが当接し、且つ第２の天井材３Ｂの下面と第２固定部材４０に形成した鉛直片５２の上端が当接するように、折返し片５０及び鉛直片５２を形成している。従って、第１の天井材３Ａの下面が立上片４９の上端に接する場合に、第１の天井材３Ａの下面を傷つけにくい効果のみではなく、第１の天井材３Ａの下面を受ける下片３３と、立上片４９の上端の折返し片５０の両者で第１の天井材３Ａの下面を受けるので、第１の天井材３Ａの保持安定性が良好となる。また、同様に第２の天井材３Ｂの下面が鉛直片５２の上端に接する場合に、第２の天井材３Ｂの下面を傷つけにくい効果のみではなく、第２の天井材３Ｂの下面を受ける下片４３と、鉛直片５２の上端の天井材受け片５３の両者で第２の天井材３Ｂの下面を受けるので、第２の天井材３Ｂの保持安定性が良好となる。
【００３８】
さらに、浴室天井用仕上げ部材の施工状態を示す図６及び図７で明らかなように、この第２実施形態の天井用仕上げ部材を施工した場合に、浴室内部側に露出する面として、長手方向に亙って、底片４７と水平片５１とで形成される面は、略面一に形成されることになるので、段差のない平滑な印象を浴室内部側から観察する人に与える構造となる。
【００３９】
【発明の効果】
請求項１に係る発明の浴室天井用仕上げ部材は、露受け部材の立上片の上端に、内方に折返している折返し片を形成しているので、結露水等を樋溝で受けた際に、樋溝内に一旦落下した水が底に当たってはね返り、立上片を越えて、樋溝外に飛び出すという現象が生じにくくなると共に、立上片の上端と天井材の下面が接した場合に、立上片の上端で天井材の下面を傷つけにくくなるという効果を奏する。
【００４０】
請求項２に係る発明の浴室天井用仕上げ部材では、天井材が水平に配置された際に、その天井材の下面と折返し片とが当接するように、折返し片を形成しているので、天井材の端部下面を受ける下片と、立上片の上端の折返し片の両者で水平に配置された天井材の下面を受けることができる。従って、請求項２に係る発明の浴室天井用仕上げ部材によれば、請求項１に係る発明の効果に加えて、天井材が水平に配置された際の天井材の保持安定性が良好となる。
【００４１】
請求項３に係る発明の浴室天井用仕上げ部材は、第２固定部材の樋溝を構成する立上片の上端に、内方に折返している折返し片を形成しているので、樋溝内に一旦落下した水が底に当たってはね返り、立上片を越えて、樋溝外に飛び出すという現象が生じにくくなる。また、折返し片を形成することで、天井材の下面と接する部分の、立上片の上端が面（折返し片の上面）で形成されることになり、立上片の上端と天井材の下面が接した場合に、立上片の上端で天井材の下面を傷つけにくくなるという効果を奏する。さらに、第２固定部材に形成している垂直片の下端から、樋溝の底となる底片とは反対方向に、その底片と略面一に水平片を突出して延設し、この水平片の終端から上方に折曲して、鉛直片を形成しているので、第２の天井材の端部下面の下方を受ける露受け樋としての機能を第２の天井材に持たせることが可能となる。
【００４２】
請求項４に係る発明の浴室天井用仕上げ部材は、第１及び第２の天井材が水平に配置された際に、第１の天井材の端部下面を受ける第１固定部材の下片と、立上片の上端の折返し片の両者で第１の天井材の下面を受け、第２の天井材の端部下面を受ける第２固定部材の下片と、鉛直片上端の両者で第２の天井材の下面を受けるので、第１及び第２の天井材が水平に配置された際のそれらの天井材の保持安定性が良好となる。
【００４３】
請求項５に係る発明の浴室天井用仕上げ部材では、第２固定部材に形成している鉛直片の上端に、内方に折返している天井材受け片を、該鉛直片の長手方向に亙って設けているので、第２の天井材が鉛直片の上端に接する場合に、第２の天井材の下面を傷つけにくくなる。
【図面の簡単な説明】
【図１】第１実施形態の浴室天井用仕上げ部材を示す断面図であり、（ａ）は浴室天井用仕上げ部材全体の断面図、（ｂ）は露受け部材の断面図、（ｃ）は固定部材の断面図である。
【図２】第１実施形態の浴室天井用仕上げ部材の一施工例を示す断面図である。
【図３】第１実施形態の浴室天井用仕上げ部材の他の施工例を示す断面図である。
【図４】第２実施形態の浴室天井用仕上げ部材を示す断面図である。
【図５】（ａ）は第２実施形態の第２固定部材を示す断面図であり、（ｂ）は第１固定部材を示す断面図である。
【図６】第２実施形態の浴室天井用仕上げ部材の一施工例を示す断面図である。
【図７】第２実施形態の浴室天井用仕上げ部材の他の施工例を示す断面図である。
【図８】第１従来例の浴室天井用仕上げ部材を示す断面図である。
【図９】第２従来例の浴室天井用仕上げ部材を示す断面図である。
【図１０】第１従来例の浴室天井用仕上げ部材の一施工例を示す断面図である。
【図１１】第２従来例の浴室天井用仕上げ部材の一施工例を示す断面図である。
【符号の説明】
３  天井材
３Ａ  第１の天井材
３Ｂ  第２の天井材
１０  固定部材
１１、３１、４１  上片
１２、３２、４２  側片
１３、３３、４３  下片
１５、３５  軸受部
２０  露受け部材
２１、４６  垂直片
２２、４７  底片
２３、４９  立上片
２５、４５  軸部
２７、５０  折返し片
２８、４８  樋溝
３０  第１固定部材
３４、４４  差込凹所
４０  第２固定部材
５１  水平片
５２  鉛直片
５３  天井材受け片
【図１】
0003614073.tif 000002
【図２】
0003614073.tif 000003
【図３】
0003614073.tif 000004
【図４】
0003614073.tif 000005
【図５】
0003614073.tif 000006
【図６】
0003614073.tif 000007
【図７】
0003614073.tif 000008
【図８】
0003614073.tif 000009
【図９】
0003614073.tif 000010
【図１０】
0003614073.tif 000011
【図１１】
0003614073.tif 000012